(57)【要約】【課題】設定操作の煩雑さを低減できる紙葉類計数機を提供する。【解決手段】複数のバッチパターンの中から一つのバッチパターンを指定バッチパターンとして選択可能にし、セット部から紙葉類を取込部により取り込んで搬送部で搬送すると共に、計数部で指定バッチパターンのバッチ枚数の紙葉類が計数されると取込部を停止させることによって、指定バッチパターンのバッチ枚数の紙葉類を集積部に集積させる制御部と、複数のバッチパターンそれぞれのバッチ枚数を設定して記憶部に記憶するバッチ枚数設定モードでは、複数のバッチパターンのバッチ枚数を表示する表示部１１２とを備える。【選択図】図８
2018045342.tif 000002
【特許請求の範囲】
【請求項１】
紙葉類がセットされるセット部と、
該セット部にセットされた紙葉類を一枚ずつ取り込む取込部と、
該取込部で取り込まれた紙葉類を搬送する搬送部と、
該搬送部で搬送中の紙葉類を計数する計数部と、
前記搬送部から繰り出された紙葉類を取り出し可能に集積させる集積部と、
複数のバッチパターンを記憶可能な記憶部と、
前記複数のバッチパターンの中から一つのバッチパターンを指定バッチパターンとして選択可能にし、前記セット部から紙葉類を前記取込部により取り込んで前記搬送部で搬送すると共に、前記計数部で前記指定バッチパターンのバッチ枚数の紙葉類が計数されると前記取込部を停止させることによって、前記指定バッチパターンのバッチ枚数の紙葉類を前記集積部に集積させる制御部と、
前記複数のバッチパターンそれぞれのバッチ枚数を設定して前記記憶部に記憶するバッチ枚数設定モードでは、前記複数のバッチパターンのバッチ枚数を表示する表示部と
を備えることを特徴とする紙葉類計数機。
【請求項２】
前記制御部は、前記複数のバッチパターンの中から一つのバッチパターンを前記指定バッチパターンとして選択する指定バッチパターン選択モードでは、前記複数のバッチパターンの中からバッチ枚数が０枚のバッチパターンを、前記指定バッチパターンとして選択可能なバッチパターンから除外することを特徴とする請求項１記載の紙葉類計数機。
【請求項３】
前記記憶部は、前記複数のバッチパターンの組を複数組記憶可能であり、
前記制御部は、前記複数組の中から一組を選択組として選択可能にし、
前記選択組の複数のバッチパターンの中から一つのバッチパターンを前記指定バッチパターンとして選択可能にすることを特徴とする請求項１または２記載の紙葉類計数機。
【発明の詳細な説明】
【技術分野】
【０００１】
本発明は、紙葉類を計数する紙葉類計数機に関する。
【背景技術】
【０００２】
ホッパーに投入された紙葉類（紙幣、投票用紙、商品券等）を一枚ずつ計数して、スタッカーに払い出す紙葉類計数機が知られている。このような紙葉類計数機において、予め任意の枚数をプリセットデータとして設定しておき、設定されたプリセットデータの枚数の紙葉類を自動計数するバッチ処理機能を搭載したものが提案されている（例えば、特許文献１参照）。
【先行技術文献】
【特許文献】
【０００３】
【特許文献１】特許第３１７４４２７号公報
【発明の概要】
【発明が解決しようとする課題】
【０００４】
上記のような紙葉類計数機には、複数のプリセットデータにそれぞれ任意のバッチ取り枚数が設定可能になっているものがある。このような紙葉類計数機では、複数のプリセットデータの設定操作が煩雑であるという課題がある。
【０００５】
本発明は、このような事情を鑑みてなされたものであり、設定操作の煩雑さを低減できる紙葉類計数機を提供する。
【課題を解決するための手段】
【０００６】
上記目的を達成するために、本発明に係る第１の態様は、紙葉類がセットされるセット部と、該セット部にセットされた紙葉類を一枚ずつ取り込む取込部と、該取込部で取り込まれた紙葉類を搬送する搬送部と、該搬送部で搬送中の紙葉類を計数する計数部と、前記搬送部から繰り出された紙葉類を取り出し可能に集積させる集積部と、複数のバッチパターンを記憶可能な記憶部と、前記複数のバッチパターンの中から一つのバッチパターンを指定バッチパターンとして選択可能にし、前記セット部から紙葉類を前記取込部により取り込んで前記搬送部で搬送すると共に、前記計数部で前記指定バッチパターンのバッチ枚数の紙葉類が計数されると前記取込部を停止させることによって、前記指定バッチパターンのバッチ枚数の紙葉類を前記集積部に集積させる制御部と、前記複数のバッチパターンそれぞれのバッチ枚数を設定して前記記憶部に記憶するバッチ枚数設定モードでは、前記複数のバッチパターンのバッチ枚数を表示する表示部とを備えることを特徴とする。
【０００７】
上記第１の態様によれば、複数のバッチパターンそれぞれのバッチ枚数を設定して記憶部に記憶するバッチ枚数設定モードでは、複数のバッチパターンのバッチ枚数を表示部に表示するため、どのバッチパターンに何枚のバッチ枚数を設定しているのかが一目瞭然で分かる。よって、所望のバッチ枚数の設定し忘れや、複数のプリセットデータの設定枚数が重複するなどの設定ミスを防止するために、どのバッチパターンに何枚のバッチ枚数を設定したかを覚えておいたり、書き留めておく必要がなくなることから、操作の煩雑さを低減できる。
【０００８】
本発明に係る第２の態様は、上記第１の態様において、前記制御部は、前記複数のバッチパターンの中から一つのバッチパターンを前記指定バッチパターンとして選択する指定バッチパターン選択モードでは、前記複数のバッチパターンの中からバッチ枚数が０枚のバッチパターンを、前記指定バッチパターンとして選択可能なバッチパターンから除外することを特徴とする。
【０００９】
上記第２の態様によれば、制御部は、指定バッチパターン選択モードにおいて、複数のバッチパターンの中から、選択されることがないバッチ枚数が０枚のバッチパターンを、指定バッチパターンとして選択可能なバッチパターンから除外する。よって、無駄な選択肢がなくなることから、操作の煩雑さを一層低減できる。
【００１０】
本発明に係る第３の態様は、上記第１または２の態様において、前記記憶部は、前記複数のバッチパターンの組を複数組記憶可能であり、前記制御部は、前記複数組の中から一組を選択組として選択可能にし、前記選択組の複数のバッチパターンの中から一つのバッチパターンを前記指定バッチパターンとして選択可能にすることを特徴とする。
【００１１】
上記第３の態様によれば、記憶部が、複数のバッチパターンの組を複数組記憶可能であり、制御部は、これら複数組の中から一組を選択組として選択可能にし、選択組の複数のバッチパターンの中から一つのバッチパターンを指定バッチパターンとして選択可能にする。よって、例えば、顧客毎に組を変えることで、顧客毎に使用する複数のバッチパターンが設定できるようになり、運用上の利便性が向上できる。
【発明の効果】
【００１２】
本発明によれば、設定操作の煩雑さを低減できる紙葉類計数機を提供することができる。
【図面の簡単な説明】
【００１３】
【図１】本発明の第１実施形態に係る紙葉類計数機を示す正面図である。
【図２】本発明の第１実施形態に係る紙葉類計数機を示す図１のＩＩ−ＩＩ断面図である。
【図３】本発明の第１実施形態に係る紙葉類計数機を示す図１のＩＩＩ−ＩＩＩ断面図である。
【図４】本発明の第１実施形態に係る紙葉類計数機を示す図１のＩＶ−ＩＶ断面図である。
【図５】本発明の第１実施形態に係る紙葉類計数機の残留検知センサ近傍を示す部分拡大図である。
【図６】本発明の第１実施形態に係る紙葉類計数機を示す制御系のブロック図である。
【図７】本発明の第１実施形態に係る紙葉類計数機の表示部および操作部を示す平面図である。
【図８】本発明の第１実施形態に係る紙葉類計数機の表示部のバッチ枚数設定画面を示す平面図である。
【図９】本発明の第１実施形態に係る紙葉類計数機の表示部のバッチ枚数設定画面を示す平面図である。
【図１０】本発明の第１実施形態に係る紙葉類計数機の表示部のバッチ枚数設定画面を示す平面図である。
【図１１】本発明の第１実施形態に係る紙葉類計数機の表示部のバッチ枚数設定画面を示す平面図である。
【図１２】本発明の第２実施形態に係る紙葉類計数機の表示部のバッチ計数画面を示す平面図である。
【図１３】本発明の第２実施形態に係る紙葉類計数機の表示部の第１設定選択画面を示す平面図である。
【図１４】本発明の第２実施形態に係る紙葉類計数機の表示部の第２設定選択画面を示す平面図である。
【図１５】本発明の第２実施形態に係る紙葉類計数機の表示部のバッチ枚数設定画面を示す平面図である。
【図１６】本発明の第２実施形態に係る紙葉類計数機の表示部のバッチ枚数設定画面を示す平面図である。
【発明を実施するための形態】
【００１４】
［第１実施形態］
本発明の第１実施形態に係る紙葉類計数機を図１〜図１１を参照して以下に説明する。
【００１５】
第１実施形態に係る紙葉類計数機１は卓上型の紙葉類計数機であり、紙葉類として紙幣Ｓを計数する紙幣計数機となっている。実施形態の技術は、紙幣以外の投票用紙や商品券等を計数可能な紙葉類計数機にも適用可能である。以下の説明において「前」は操作者側、「後」は操作者とは反対側、「左」は操作者から見て左、「右」は操作者から見て右である。
【００１６】
図１に示すように、紙葉類計数機１は、その機体上部に、複数枚の紙幣Ｓがセットされるセット部２を有している。セット部２は、機外に臨む位置に設けられており、複数枚の紙幣Ｓが機外からセットされる。セット部２は、図２に示すように、水平に対し若干後下がりに傾斜する載置部３と、載置部３の後端から上方に延出するセットガイド４とを有している。セット部２には、複数枚の紙幣Ｓが厚さ方向に集積された状態で集積方向を上下にして載置部３上に載置される。その際に、複数枚の紙幣Ｓは後端部をセットガイド４に当接させた状態とされる。また、複数枚の紙幣Ｓは、長手方向を左右方向にし短手方向を前後にしてセット部２にセットされることになる。セット部２は、載置部３の位置に、載置部３上に載置された紙幣Ｓの有無を検知する光学反射型のセット検知センサ５を有している。
【００１７】
紙葉類計数機１は、セット部２の下部に、セット部２にセットされた紙幣Ｓを一枚ずつ分離して機内に取り込む取込部１１を有している。この取込部１１は、最も前側にあって載置部３の位置に設けられた蹴出ローラ１４と、蹴出ローラ１４の後方にある繰出ローラ１５と、繰出ローラ１５の上側にあって繰出ローラ１５との間に紙幣Ｓを挟持可能な取込ローラ１６と、繰出ローラ１５の上側かつ取込ローラ１６の後側にあって繰出ローラ１５との間に紙幣Ｓを挟持可能な分離ローラ１７と、繰出ローラ１５の上側かつ分離ローラ１７の後側にあって繰出ローラ１５との間に紙幣Ｓを挟持可能な引抜ローラ１８とを有している。
【００１８】
紙葉類計数機１は、下部に駆動機構２３を有している。駆動機構２３は、回転軸２３ａを回転駆動し、また回転軸２３ａにブレーキを掛ける電動の搬送モータおよびブレーキを含んでいる。繰出ローラ１５の回転軸１５ａには、図３に示すようにプーリ２６が取り付けられており、駆動機構２３の回転軸２３ａにもプーリ２７が取り付けられていて、これらプーリ２６，２７にベルト２８が掛けられている。これにより、駆動機構２３は、プーリ２６，２７およびベルト２８を介して繰出ローラ１５を回転させたり、ブレーキを掛けて停止させたりする。駆動機構２３の後側には電源部２４が設けられている。
【００１９】
繰出ローラ１５の回転軸１５ａには図４に示すようにプーリ３１が取り付けられており、蹴出ローラ１４の回転軸１４ａにもプーリ３２が取り付けられていて、これらプーリ３１，３２にベルト３３が掛けられている。これにより、駆動機構２３は、図３に示すプーリ２６，２７およびベルト２８と、回転軸１５ａと、図４に示すプーリ３１，３２およびベルト３３とを介して図２に示す蹴出ローラ１４を回転させたり、ブレーキを掛けて停止させたりする。駆動機構２３は、取込部１１を構成している。
【００２０】
図２に示すように、蹴出ローラ１４は、載置部３よりも下側に回転軸１４ａが配置されており、載置部３から外周部の一部が上方に突出している。蹴出ローラ１４は、外周部の一部に他の低摩擦部３５よりも摩擦係数が大きいゴム製の高摩擦部３６を有している。取込部１１は、蹴出ローラ１４が、セット部２にセットされた紙幣Ｓのうちの最下の紙幣Ｓに接触することになり、セット部２にセットされた紙幣Ｓのうちの最下の紙幣Ｓを蹴出ローラ１４の高摩擦部３６で後方に蹴り出し、繰出ローラ１５と取込ローラ１６とで挟んで後方に繰り出すことになる。そして、取込部１１は、分離ローラ１７で最下の紙幣Ｓよりも上側の紙幣Ｓを最下の紙幣Ｓから分離し、繰出ローラ１５と引抜ローラ１８とで最下の紙幣Ｓを挟んで後方に引き抜く。ここで、蹴出ローラ１４は、高摩擦部３６が紙幣Ｓに接触すると紙幣Ｓを後方に蹴り出す一方、低摩擦部３５が紙幣Ｓに接触しても紙幣Ｓを後方に蹴り出すことはない。これにより、紙幣Ｓが間隔を開けて取り込まれることになる。このようにして取込部１１は、セット部２にセットされた紙幣Ｓを一枚ずつ分離して機内に取り込む。
【００２１】
取込部１１は、蹴出ローラ１４の回転軸１４ａに取り付けられた図４に示す回転板３７と、この回転板３７を検知することで蹴出ローラ１４の回転位置を検出する蹴出ローラ位置センサ３８とを有している。蹴出ローラ位置センサ３８は、高摩擦部３６が現在どの回転位置にあるかを検出するためのセンサであり、回転板３７を検知しない状態から、図４に示すように検知する状態に切り替わると、図２に示すように蹴出ローラ１４において高摩擦部３６が下部に位置することを検出する。
【００２２】
紙葉類計数機１は、取込部１１の下側に、取込部１１で取り込まれた紙幣Ｓを搬送する搬送部４１を有している。搬送部４１は、繰出ローラ１５に隣り合うガイド部材４２と、引抜ローラ１８に隣り合うガイド部材４３と、ガイド部材４２の繰出ローラ１５とは反対側に隣り合う搬送ローラ４４と、を有している。搬送ローラ４４は、図１に示すように、その回転軸４４ａに左右に並んで複数具体的には三つ設けられている。左端の搬送ローラ４４と右端の搬送ローラ４４とは、紙葉類計数機１の左右方向の中心に対して対称位置に配置されており、これらの間の搬送ローラ４４は、紙葉類計数機１の左右方向の中心から少しずれた位置に配置されている。具体的に、中間の搬送ローラ４４は、紙葉類計数機１の左右方向の中心から右側に少しずれて配置されている。回転軸４４ａには三つの搬送ローラ４４よりも左右両外側に、一対のガイドローラ４５が設けられている。
【００２３】
搬送ローラ４４の回転軸４４ａには図３に示すプーリ４６が取り付けられており、繰出ローラ１５の回転軸１５ａにはプーリ４７が取り付けられていて、これらプーリ４６，４７にベルト４８が掛けられている。これにより、搬送ローラ４４も、駆動機構２３によって回転させられたり、ブレーキが掛けられて停止させられたりする。駆動機構２３は、搬送部４１をも構成している。
【００２４】
図２に示すように、搬送部４１は、ガイド部材４３内にあって搬送ローラ４４との間に紙幣Ｓを挟持可能な搬送ローラ５１と、搬送ローラ４４のガイド部材４２とは反対側に隣り合う搬送ローラ５２と、搬送ローラ５２から前下がりに延出するガイド部５４とを有している。搬送ローラ５２は、図１に示すように、ガイド部５４の開口５４ａから一部が上方に突出しており、左右に二つ設けられている。これら搬送ローラ５１は、一方が左右方向一端の搬送ローラ４４と左右方向の位置を合わせ、他方が左右方向他端の搬送ローラ４４と左右方向の位置を合わせている。
【００２５】
搬送部４１は、ガイド部５４の開口５４ｂから一部が上方に突出するメカ二重検知ローラ５３を有している。メカ二重検知ローラ５３は、左右方向中間の搬送ローラ４４に左右方向の位置を合わせて設けられている。メカ二重検知ローラ５３は、左右方向中間の搬送ローラ４４と同様、紙葉類計数機１の左右方向の中心から少しずれた位置に配置されており、搬送部４１の左右方向の中心から少しずれた位置に配置されている。具体的に、メカ二重検知ローラ５３は、紙葉類計数機１の左右方向の中心から右側に少しずれて配置されている。これは、紙葉類は半分に折られることが多々あり、また破れなどによりテープ等で補修されている可能性もあるため、紙葉類の折り目部分を出来るだけ避け、安定して検知させるためである。
【００２６】
搬送部４１は、図２に示す取込部１１の繰出ローラ１５および引抜ローラ１８から繰り出された紙幣Ｓを、ガイド部材４２，４３で案内し、搬送ローラ４４と搬送ローラ５１とでさらに下方に搬送する。すると、搬送部４１は、ガイド部５４が紙幣Ｓの搬送方向が前方に変わるように案内することになり、ガイド部５４と搬送ローラ４４と搬送ローラ５２とメカ二重検知ローラ５３が紙幣Ｓを前方に搬送する。
【００２７】
搬送部４１は、メカ二重検知ローラ５３の搬送ローラ４４と距離に応じて図３に示す支持軸５７ａを中心に揺動する揺動部材５７と、メカ二重検知ローラ５３と搬送ローラ４４との間に二枚以上の紙幣Ｓが重なって通過する際の揺動部材５７の揺動を検知して紙幣Ｓの重送を検知するメカ二重検知センサ５８とを有している。
【００２８】
図２に示すように、搬送部４１は、搬送ローラ４４側とガイド部５４側とに、これらの間の紙幣Ｓの残留および通過を検知する光学透過型の残留検知センサ６１が設けられている。残留検知センサ６１は、図５に示すように、搬送ローラ４４側のプリズム６２と、ガイド部５４側の発光受光部６３とを有している。発光受光部６３は、発光素子６５と受光素子６６とが紙幣Ｓの搬送方向に並んで設けられており、発光素子６５が受光素子６６よりも紙幣Ｓの搬送方向の上流側に配置されている。これら発光素子６５および受光素子６６はプリズム６２に指向して設けられており、プリズム６２は、発光素子６５からの発光を受光素子６６に向け折り返すように屈曲させる。残留検知センサ６１は、発光素子６５からの発光を受光素子６６が受光することによって、残留検知センサ６１の位置に紙幣Ｓがないことを検知し、発光素子６５からの発光を受光素子６６が受光しないことによって、残留検知センサ６１の位置に紙幣Ｓがあることを検知する。
【００２９】
図２に示すように、ガイド部材４２とガイド部材４３とには、これらの間を通過する紙幣Ｓつまり搬送部４１で搬送中の紙幣Ｓを検知して計数する光学透過型のカウントセンサ７１（計数部）が設けられている。カウントセンサ７１は、ガイド部材４２に設けられた発光素子および受光素子の一方である素子７２と、ガイド部材４３に設けられた発光素子および受光素子の他方である素子７３とを有しており、発光素子の発光を受光素子で受光するとカウントセンサ７１の位置に紙幣Ｓがないことを検知し、紙幣Ｓで遮光されることにより発光素子の発光を受光素子で受光しないとカウントセンサ７１の位置に紙幣Ｓがあることを検知する。ここで、カウントセンサ７１は、素子７２と素子７３とがそれぞれ複数左右方向に直線状に並べられて設けられており、紙幣Ｓの短手方向長さを検出することで、紙幣Ｓの枚数を計数する。さらに、カウントセンサ７１は、紙幣Ｓの長手方向長さを検出する機能を有し、紙幣Ｓの金種を検出するようにしてもよい。
【００３０】
ガイド部５４の前方には、搬送部４１から繰り出された紙幣Ｓを機外に取り出し可能に集積させる集積部８１が設けられている。集積部８１は、機外に臨む位置に設けられており、搬送部４１から繰り出された紙幣Ｓを受け取る集積車８２と、集積車８２の前方で下方に凹む集積凹部８３とを有している。集積部８１は、集積車８２の若干後側に電動の集積モータ８５を有している。集積車８２の回転軸８２ａには図３に示すプーリ８６が取り付けられており、集積モータ８５の回転軸８５ａにもプーリ８７が取り付けられていて、これらプーリ８６，８７にベルト８８が掛けられている。これにより、図２に示す集積車８２は、集積モータ８５の駆動によって回転する。集積凹部８３は、機体下部の前面側に設けられており、ガイド部５４の前端から下方に延出する後壁部９１と、後壁部９１の下端から前方に延出する底部９２と、底部９２の前端位置から前上がりに立ち上がる前壁部９３とを有している。集積車８２は、搬送部４１から受け取った紙幣Ｓを集積凹部８３に繰り出して、底部９２上で前壁部９３に機体前後方向に集積させる。集積凹部８３に集積された紙幣Ｓは、機外に取り出し可能となる。
【００３１】
集積凹部８３の前壁部９３と後壁部９１とには、これらの間の紙幣Ｓを検知する光学透過型の集積部センサ１０１が設けられている。集積部センサ１０１は、前壁部９３に設けられた発光素子および受光素子の一方である素子１０２と、後壁部９１に設けられた発光素子および受光素子の他方である素子１０３とを有しており、発光素子の発光を受光素子で受光すると集積凹部８３に紙幣Ｓがないことを検知し、発光素子の発光を受光素子で受光しないと集積凹部８３の位置に紙幣Ｓがあることを検知する。
【００３２】
紙葉類計数機１は、図１に示すように、紙幣セット部２よりも機体前面側の上部に、操作者による操作入力を受け付ける操作部１１１と、操作者に向けて表示を行う液晶画面からなる表示部１１２とを有している。紙葉類計数機１は、その全体を制御する制御手段である図６に示す制御装置部１１３を有している。制御装置部１１３は、紙葉類計数機１を制御するＣＰＵ１１７と、データを記憶する記憶部１１８とを有している。また、紙葉類計数機１には、用紙に印字を行うプリンタ１１９をケーブルにより接続可能である。
【００３３】
図７に示すように、操作部１１１は、表示部１１２の前方つまり下方に右から左に並んで配置された複数具体的には四つのファンクションキー１２１〜１２４と、下方向を指す記号が表記され、表示部１１２の右隣りに配置された下移動キー１２５と、上方向を指す記号が表記され、表示部１１２の右隣り且つ下移動キー１２５の後隣りに配置された上移動キー１２６とを有している。操作部１１１は、「スタート／クリア」の文字が表記されて下移動キー１２５の右隣りに配置されたスタート／クリアキー１２７と、「プリント」の文字が表記されて上移動キー１２６の右隣りに配置されたプリントキー１２８と、「バッチ」の文字が表記されて、表示部１１２の左側に配置されたバッチキー１２９と、「機能」の文字が表記されて、バッチキー１２９の左側に設けられた機能キー１３０とを有している。
【００３４】
紙葉類計数機１は、蹴出ローラ１４の停止位置補正処理を行う。すなわち、紙葉類計数機１の電源ＯＮ時に、ＣＰＵ１１７は、セット検知センサ５でセット部２に紙幣Ｓがないことを検知すると、駆動機構２３を低速で駆動する。すると、回転軸２３ａおよびプーリ２７が回転し、ベルト２８を介してプーリ２６、回転軸１５ａおよびプーリ３１が回転し、ベルト３３を介してプーリ３２、回転軸１４ａ、蹴出ローラ１４および回転板３７が回転する。この回転中、ＣＰＵ１１７は、上記した蹴出ローラ位置センサ３８が回転板３７を検知しない状態から検知する状態に切り替わると、駆動機構２３の駆動を停止し回転軸２３ａの回転にブレーキをかける。これにより、図２に示すように蹴出ローラ１４はその下部の所定位置に高摩擦部３６を配置して停止する。この状態が、紙葉類計数機１の待機状態であり、待機状態において、蹴出ローラ１４は、低摩擦部３５および高摩擦部３６のうち低摩擦部３５のみを載置部３から上方に突出させており、高摩擦部３６は全体的に載置部３の下側に位置している。
【００３５】
また、紙葉類計数機１は、計数動作終了時にも同様の処理を行う。つまり、ＣＰＵ１１７は、計数動作終了時に、駆動機構２３でそれまで高速で駆動していた回転軸２３ａの回転にブレーキをかける。その後、ＣＰＵ１１７は、上記と同様に、駆動機構２３を低速で駆動し、上記した蹴出ローラ位置センサ３８が回転板３７を検知しない状態から検知する状態に切り替わると、駆動機構２３で回転軸２３ａの回転にブレーキをかける。これにより、蹴出ローラ１４はその下部の所定位置に高摩擦部３６を配置して停止する。このようにして、紙葉類計数機１は、待機状態になる。
【００３６】
待機状態にあるとき、スタート／クリアキー１２７が押下操作されると、ＣＰＵ１１７は、セット検知センサ５でセット部２に紙幣Ｓがあることを検知していることを条件に、駆動機構２３を高速で駆動して計数動作を開始する。このように、駆動機構２３が駆動されると、プーリ２７が回転し、プーリ２７に掛けられたベルト２８を介してプーリ２６、繰出ローラ１５、プーリ４７およびプーリ３１が回転し、プーリ３１に掛けられたベルト３３を介してプーリ３２および蹴出ローラ１４が回転し、プーリ４７に掛けられたベルト４８を介してプーリ４６および搬送ローラ４４が回転する。また、ＣＰＵ１１７は、計数動作の開始時には、駆動機構２３と同期して集積モータ８５を駆動する。集積モータ８５が駆動されると、プーリ８７が回転し、プーリ８７に掛けられたベルト８８を介してプーリ８６および集積車８２が回転する。
【００３７】
すると、紙葉類計数機１は、取込部１１の回転する蹴出ローラ１４が、セット部２にセットされた紙幣Ｓの最下の紙幣Ｓを高摩擦部３６において繰出ローラ１５に向け蹴り出すことになり、取込部１１の回転する繰出ローラ１５がこの最下の紙幣Ｓを取込ローラ１６とで挟んで後方に繰り出す。そして、停止状態にある分離ローラ１７が最下の紙幣Ｓよりも上側の紙幣Ｓを最下の紙幣Ｓから分離し、回転する繰出ローラ１５がこの最下の紙幣Ｓを引抜ローラ１８とで挟んで、搬送部４１のガイド部材４２，４３間に送り込む。すると、この紙幣Ｓを、搬送部４１の回転する搬送ローラ４４が、搬送ローラ５１とで挟んで下方に搬送し、搬送ローラ５２とで挟んで前方に搬送する。そして、この紙幣Ｓを、集積部８１の回転する集積車８２が、集積凹部８３に排出する。
【００３８】
このような計数動作によって、紙葉類計数機１は、セット部２にセットされた紙幣Ｓを、蹴出ローラ１４の高摩擦部３６による間隔をあけた蹴り出しで取込部１１が取り込むことになり、搬送部４１が間隔をあけた状態のまま搬送して、集積部８１に繰り出し、集積部８１の集積車８２が、集積凹部８３に順に集積させる。そして、搬送部４１の搬送中、カウントセンサ７１が紙幣Ｓを計数することになる。複数枚が重なった状態で搬送部４１で搬送される重送紙幣Ｓは、メカ二重検知ローラ５３を搬送ローラ４４に対し一枚の場合よりも離すことになり、これを揺動部材５７を介してメカ二重検知センサ５８が検知する。計数動作中にメカ二重検知センサ５８が重送紙幣Ｓを検知すると、ＣＰＵ１１７は、計数動作を停止させて表示部１１２にエラー表示を表示させる。また、計数動作中にカウントセンサ７１が異金種紙幣Ｓの混入を検出すると、ＣＰＵ１１７は、計数動作を停止させて表示部１１２にエラー表示を表示させる。計数動作が終了する際に、紙葉類計数機１は、上記したように蹴出ローラ１４を、その下部の所定位置に高摩擦部３６を配置する状態で停止させて、待機状態になる。
【００３９】
紙葉類計数機１は、図示略の電源スイッチがＯＮされると計数モードの待機状態になる。ここで、計数モードには、例えば、セット全数計数モード（バッチ機能ＯＦＦ，加算機能ＯＦＦ）と、バッチ計数モード（バッチ機能ＯＮ，加算機能ＯＦＦ）と、加算計数モード（バッチ機能ＯＦＦ，加算機能ＯＮ）と、バッチ加算計数モード（バッチ機能ＯＮ，加算機能ＯＮ）とがある。保守モード等の設定機能により、電源ＯＮ時に、各機能をＯＮにするかＯＦＦにするかを予め設定することができる。または、前回の電源ＯＦＦ時の計数モードを保持するようにしてもよい。
【００４０】
セット全数計数モードでは、セット部２にセットされた紙幣Ｓを全て計数し、計数結果（枚数）を表示部１１２に表示する。つまり、ＣＰＵ１１７は、セット全数計数モードにおいて、セット部２に紙幣Ｓがセットされたことをセット検知センサ５が検出すると、操作部１１１のスタート／クリアキー１２７への開始操作を受け付ける状態となり、この状態で、操作部１１１のスタート／クリアキー１２７に開始操作が入力されると、セット枚数計数処理を行う。セット枚数計数処理では、計数動作を行い、セット部２から紙幣Ｓを取込部１１により取り込んで搬送部４１で搬送しカウントセンサ７１で計数しつつ、集積部８１に集積させる。セット検知センサ５が紙幣Ｓを検知しなくなり且つ残留検知センサ６１が紙幣Ｓを検知しなくなってから所定時間が経過すると、計数動作を終了し、セット枚数計数処理を終了する。そして、このセット枚数計数処理でカウントセンサ７１が計数した紙幣Ｓの枚数を表示部１１２に表示する。なお、セット部２に紙幣Ｓがセットされたことをセット検知センサ５が検出すると、自動的に各計数モードの計数動作を開始するようにしてもよい。
【００４１】
バッチ計数モードでは、セット部２にセットされた紙幣Ｓから、設定されたバッチパターンのバッチ枚数に達するまで計数を行って、このバッチ枚数の紙幣Ｓを集積部８１に集積させる。つまり、ＣＰＵ１１７は、バッチ計数モードにおいて、セット部２に紙幣Ｓがセットされたことをセット検知センサ５が検出すると、操作部１１１のスタート／クリアキー１２７への開始操作を受け付ける状態となり、この状態で、操作部１１１のスタート／クリアキー１２７に開始操作が入力されると、バッチ計数処理を行う。バッチ計数処理では、計数動作を行い、セット部２から紙幣Ｓを取込部１１により取り込んで搬送部４１で搬送しカウントセンサ７１で計数しつつ、集積部８１に集積させる。設定されたバッチパターンのバッチ枚数の紙幣Ｓがカウントセンサ７１で計数され、この紙幣Ｓを残留検知センサ６１が検知してから所定時間が経過すると、計数動作を終了し、バッチ計数処理を終了する。これによって、バッチパターンのバッチ枚数の紙幣Ｓを集積部８１に集積させる。
【００４２】
加算計数モードでは、加算設定が有効の間、計数結果を加算して表示部１１２に表示する。すなわち、加算設定が有効の間、上記したセット全数計数モードを繰り返し行い、その間の計数結果を加算して表示部１１２に表示する。
【００４３】
バッチ加算計数モードでは、設定されたバッチパターンのバッチ枚数に達するまで計数を行い、加算設定が有効の間、計数結果を加算して表示部１１２に表示する。すなわち、加算設定が有効の間、上記したバッチ計数モードを繰り返し行い、その間の計数結果を加算して表示部１１２に表示する。その際に、各バッチ計数モードで複数のバッチパターンの中から選択的にバッチパターンを変更可能となっている。
【００４４】
バッチ機能のＯＮ／ＯＦＦは、バッチキー１２９の短押しで切り替える。加算機能のＯＮ／ＯＦＦは、ファンクションキー１２１の短押しで切り替える。つまり、セット全数計数モードで機能キー１３０が短押しされると、加算計数モードとなり、加算計数モードで機能キー１３０が短押しされるとセット全数計数モードになる。また、セット全数計数モードでバッチキー１２９が短押しされるとバッチ計数モードとなり、バッチ計数モードでバッチキー１２９が短押しされるとセット全数計数モードとなる。また、加算計数モードでバッチキー１２９が短押しされるとバッチ加算計数モードとなり、バッチ加算計数モードでバッチキー１２９が短押しされると加算計数モードとなる。
【００４５】
プリントキー１２８は、計数モードでの計数結果等をプリンタ１１９によって紙面に印字する際に押下操作されるものである。すなわち、ＣＰＵ１１７は、例えばセット全数計数モードでの計数処理の終了時に計数結果を表示部１１２に表示させることになり、この状態で、プリントキー１２８が押下操作されると、計数結果をプリンタ１１９によって紙面に印字する。また、全バッチパターンの設定枚数もプリンタ１１９によって印字可能となっている。すなわち、ＣＰＵ１１７は、例えば保守モード等で、全バッチパターンのバッチ枚数の印字画面を表示させることになり、この状態で、プリントキー１２８が押下操作されると、全バッチパターンのバッチ枚数をプリンタ１１９によって紙面に印字する。
【００４６】
次に、操作部１１１への操作入力に応じてバッチパターンのバッチ枚数を設定して記憶部１１８に記憶するバッチ枚数設定モードについて具体例を用いて説明する。記憶部１１８は、複数のバッチパターンを記憶可能となっており、紙葉類計数機１においては、これら複数のバッチパターンの中から一つのバッチパターンが指定バッチパターンとして選択設定されて、実行されるようになっている。
【００４７】
紙葉類計数機１は、例えばバッチキー１２９が短押しされると、バッチ計数モードの待機状態となり、この状態で、ＣＰＵ１１７は、表示部１１２に、図７に示すバッチ計数画面２００を表示させている。バッチ計数画面２００には、計数動作時に計数中の枚数を表示させる画面であることを示す「マイスウ」の文字を表示させる題目表示領域２０１が後端にある。また、バッチ計数画面２００には、題目表示領域２０１よりも前側に、バッチ計数モードにあることを示すバッチ計数モード表示領域２０２が左側にあり、このバッチ計数モード表示領域２０２には、バッチ計数モードであることを示す「バッチ」の文字が表示されている。また、バッチ計数画面２００には、バッチ計数モード表示領域２０２の直前位置に、その時点で指定バッチパターンとして選択設定されているバッチパターンのバッチ枚数を示す指定バッチ枚数表示領域２０３が左側にあり、この指定バッチ枚数表示領域２０３には、例えば、指定バッチパターンのバッチ枚数が１００枚であることを示す「０１００」の文字が表示されている。また、バッチ計数画面２００には、右側に、計数動作時に計数中の枚数を表示する計数枚数表示領域２０４があり、この計数枚数表示領域２０４には、待機状態であるため、「０枚」の文字が表示されている。また、バッチ計数画面２００には、計数枚数表示領域２０４よりも前の前端に、右端のファンクションキー１２１と左右方向の位置を合わせた機能表示領域３２１があり、この機能表示領域３２１には、バッチ加算を行う際に押下操作されるファンクションキー１２１の役割りを示す「カサン」の文字が表示されている。
【００４８】
バッチ計数モードの待機状態は、操作部１１１への操作入力に応じて複数のバッチパターンの中から一つのバッチパターンを指定バッチパターンとして選択する指定バッチパターン選択モードとなっている。指定バッチパターン選択モードで、操作部１１１の下移動キー１２５が押下操作されると、ＣＰＵ１１７は、押下操作毎に、記憶部１１８から指定バッチパターンとして選択可能な複数のバッチパターンを昇順で一つずつ読み出し、切り替えて表示部１１２の指定バッチ枚数表示領域２０３に表示させるようになっている。また、指定バッチパターン選択モードで、操作部１１１の上移動キー１２６が押下操作されると、ＣＰＵ１１７は、押下操作毎に、記憶部１１８から指定バッチパターンとして選択可能な複数のバッチパターンを降順で一つずつ読み出し、切り替えて表示部１１２の指定バッチ枚数表示領域２０３に表示させるようになっている。勿論、下移動キー１２５の押圧操作と上移動キー１２６の押圧操作とを混合で行なうことも可能である。ＣＰＵ１１７は、その時点で指定バッチ枚数表示領域２０３に表示させているバッチパターンを指定バッチパターンとして選択設定する。
【００４９】
ここでは、具体例として、バッチ枚数として０枚〜９９９９枚までの範囲で任意の枚数を設定可能であり、第１〜第５バッチパターンの最大５パターンまでバッチパターンがユーザにより任意のバッチ枚数に設定可能となっていて、第１バッチパターンのバッチ枚数が１００枚、第２バッチパターンのバッチ枚数が１１０枚、第３バッチパターンのバッチ枚数が０枚、第４バッチパターンのバッチ枚数が１１０枚、第５バッチパターンのバッチ枚数が１０００枚にそれぞれ設定されて記憶部１１８に記憶されている状態から行なわれる指定バッチパターン選択モードについて説明する。
【００５０】
なお、紙葉類計数機１は、初期設定では、記憶部１１８に記憶されている第１〜第５バッチパターンの規定の初期値のバッチ枚数を設定する。初期値としては、例えば、第１バッチパターンのバッチ枚数が１０枚、第２バッチパターンのバッチ枚数が２５枚、第３バッチパターンのバッチ枚数が５０枚、第４バッチパターンのバッチ枚数が７５枚、第５バッチパターンのバッチ枚数が１００枚にそれぞれ設定されている。
【００５１】
指定バッチパターン選択モードにおいて、記憶部１１８に記憶された複数のバッチパターンの中にバッチ枚数が０枚のバッチパターンがある場合、ＣＰＵ１１７は、このバッチ枚数が０枚のバッチパターンを無効とし、指定バッチパターンとして選択可能なバッチパターンから除外する。そして、バッチ枚数が０枚ではないバッチパターンを有効とし、指定バッチパターンとして選択可能なバッチパターンとする。すなわち、ＣＰＵ１１７は、指定バッチ枚数表示領域２０３に第１バッチパターンのバッチ枚数である「０１００」の文字を表示させた状態から、下移動キー１２５が押下操作される度に、第２バッチパターンのバッチ枚数である「０１１０」，第４バッチパターンのバッチ枚数である「０１１０」，第５バッチパターンのバッチ枚数である「１０００」，第１バッチパターンのバッチ枚数である「０１００」，…と、指定バッチ枚数表示領域２０３の表示を切り替えることになる。
【００５２】
また、指定バッチ枚数表示領域２０３に第１バッチパターンのバッチ枚数である「０１００」の文字を表示させた状態から、下移動キー１２５が長押しされた場合も、第２バッチパターンのバッチ枚数である「０１１０」，第４バッチパターンのバッチ枚数である「０１１０」，第５バッチパターンのバッチ枚数である「１０００」，第１バッチパターンのバッチ枚数である「０１００」，…と、指定バッチ枚数表示領域２０３の表示を切り替えることになる。
【００５３】
指定バッチ枚数表示領域２０３に第１バッチパターンのバッチ枚数である「０１００」の文字を表示させた状態から、上移動キー１２６が押下操作される度に、ＣＰＵ１１７は、第５バッチパターンのバッチ枚数である「１０００」，第４バッチパターンのバッチ枚数である「０１１０」，第２バッチパターンのバッチ枚数である「０１１０」，第１バッチパターンのバッチ枚数である「０１００」，…と、指定バッチ枚数表示領域２０３の表示を切り替えることになる。
【００５４】
また、指定バッチ枚数表示領域２０３に第１バッチパターンのバッチ枚数である「０１００」の文字を表示させた状態から、上移動キー１２６が長押しされた場合も、ＣＰＵ１１７は、第５バッチパターンのバッチ枚数である「１０００」，第４バッチパターンのバッチ枚数である「０１１０」，第２バッチパターンのバッチ枚数である「０１１０」，第１バッチパターンのバッチ枚数である「０１００」，…と、指定バッチ枚数表示領域２０３の表示を切り替えることになる。
【００５５】
言い換えれば、バッチ枚数を０枚とすることで、５パターンよりも少ないパターンでの運用が可能となっている。第３バッチパターンが０枚の場合、第１バッチパターン、第２バッチパターン、第４バッチパターン、第５バッチパターン、第１バッチパターンと切り替わり、あるいはその逆に切り替わって、パターン数が４つであるように振舞う。
【００５６】
紙葉類計数機１がバッチ計数モードの待機状態にあるとき、セット部２に紙幣Ｓがセットされたことをセット検知センサ５が検出すると、操作部１１のスタート／クリアキー１２７への開始操作を受け付ける状態となり、この状態で、操作部１１のスタート／クリアキー１２７に開始操作が入力されると、ＣＰＵ１１７は、バッチ計数処理を開始し、その時点で、指定バッチパターンとして選択設定されているバッチパターンのバッチ枚数、例えば、第１バッチパターンのバッチ枚数１００枚の紙幣Ｓがカウントセンサ７１で計数されると、バッチ計数処理を終了する。これによって、指定バッチパターンとして選択設定されている、例えば第１バッチパターンのバッチ枚数である１００枚の紙幣Ｓを集積部８１に集積させる。カウントセンサ７１での計数中に、計数された枚数をバッチ計数画面２００の計数枚数表示領域２０４に表示させる。
【００５７】
紙葉類計数機１は、バッチ計数モードの待機状態にあるとき、バッチキー１２９が所定時間（例えば２秒）以上、長押しされると、バッチ枚数設定モードに遷移する。すると、ＣＰＵ１１７は、表示部１１２に、図８に示すバッチ枚数設定画面３００を表示させる。なお、バッチ枚数設定モードに遷移後、バッチキー１２９の押下で、バッチ計数モードの待機状態に戻り、ＣＰＵ１１７は、表示部１１２に、図７に示すバッチ計数画面２００を表示させる。
【００５８】
ここでも、具体例として、バッチ枚数として０枚〜９９９９枚までの範囲で任意に設定可能であり、第１〜第５バッチパターンの最大５パターンまでバッチパターンがユーザにより任意のバッチ枚数に設定可能となっていて、第１バッチパターンのバッチ枚数が１００枚、第２バッチパターンのバッチ枚数が１１０枚、第３バッチパターンのバッチ枚数が０枚、第４バッチパターンのバッチ枚数が１１０枚、第５バッチパターンのバッチ枚数が１０００枚にそれぞれ設定されている状態で行なわれるバッチ枚数設定モードについて説明する。
【００５９】
図８に示すバッチ枚数設定画面３００には、バッチ枚数設定モードであることを示す「バッチ  マイスウ  セッテイ」の文字を表示させる題目表示領域３０１が後端にある。また、バッチ枚数設定画面３００には、題目表示領域３０１の右側であって表示部１１２の右端となる位置に、上移動キー１２６および下移動キー１２５の操作が可能であることを示す記号が表示された、操作可能表示領域３０２がある。
【００６０】
また、バッチ枚数設定画面３００には、題目表示領域３０１の直前位置に、設定対象バッチパターンとして選択されているバッチパターンのバッチ枚数を示す設定バッチ枚数表示領域３０３が中央から左側にある。この設定バッチ枚数表示領域３０３には、一の位の数字を表示する一の位表示領域３１１、十の位の数字を表示する十の位表示領域３１２、百の位の数字を表示する百の位表示領域３１３、千の位の数字を表示する千の位表示領域３１４がある。設定バッチ枚数表示領域３０３は、一の位表示領域３１１、十の位表示領域３１２、百の位表示領域３１３および千の位表示領域３１４のうち現在設定対象として選択中の桁の背景を黒色、文字を白色とし、他の現在設定対象として選択中でない桁について、背景を白色、文字を黒色としている。バッチ枚数設定モードへの遷移直後は、設定対象バッチパターンとして例えば第１バッチパターンが選択されていて、設定バッチ枚数表示領域３０３には、第１バッチパターンのバッチ枚数が表示されており、現在設定対象として選択中の桁が、例えば前回のバッチ枚数設定モードで最後に設定された千の位となっている。
【００６１】
また、バッチ枚数設定画面３００には、設定バッチ枚数表示領域３０３の直前位置に、バッチ枚数として設定可能な範囲を示す設定可能枚数表示領域３１８があり、この設定可能枚数表示領域３１８には、設定可能な範囲が最大９９９９枚であることを示す「（１−９９９９）」の文字が表示されている。
【００６２】
また、バッチ枚数設定画面３００には、前端位置に、四カ所の第１機能表示領域３２１、第２機能表示領域３２２、第３機能表示領域３２３および第４機能表示領域３２４がある。第１機能表示領域３２１は、右端のファンクションキー１２１と左右方向の位置を合わせており、ファンクションキー１２１の役割りである数字アップ機能を示す「＋」の文字が表示されている。第２機能表示領域３２２は、右から二番目のファンクションキー１２２と左右方向の位置を合わせており、ファンクションキー１２２の役割りである数字ダウン機能を示す「−」の文字が表示されている。第３機能表示領域３２３は、右から三番目のファンクションキー１２３と左右方向の位置を合わせており、ファンクションキー１２３の役割りである桁位置右移動機能を示す右向き矢印が表示されている。第４機能表示領域３２４は、左端のファンクションキー１２４と左右方向の位置を合わせており、ファンクションキー１２４の役割りである桁位置左移動機能を示す左向き矢印が表示されている。
【００６３】
また、バッチ枚数設定画面３００には、設定バッチ枚数表示領域３０３および設定可能枚数表示領域３１８の右側であって、操作可能表示領域３０２の直前位置に、記憶部１１８に記憶されている第１〜第５バッチパターンを同時に並べて表示させる全バッチパターン表示領域３３０がある。全バッチパターン表示領域３３０には、個別のバッチパターンのバッチパターン番号を示すパターン番号表示領域３３１〜３３５と、各バッチパターン番号に対応する個別のバッチパターンのバッチ枚数を示すパターン枚数表示領域３４１〜３４５とが、全バッチパターン分、前後に並べて設けられている。
【００６４】
すなわち、全バッチパターン表示領域３３０のうち、最も後側の第１バッチパターン用のパターン番号表示領域３３１には、第１バッチパターンであることを示す「１」の文字を、最も後側の第１バッチパターン用のパターン枚数表示領域３４１には、第１バッチパターンのバッチ枚数が１００枚であることを示す「１００」の文字を、それぞれ表示させている。また、後から２番目の第２バッチパターン用のパターン番号表示領域３３２には、第２バッチパターンであることを示す「２」の文字を、後から２番目の第２バッチパターン用のパターン枚数表示領域３４２には、第２バッチパターンのバッチ枚数が１１０枚であることを示す「１１０」の文字を、それぞれ表示させている。また、後から３番目の第３バッチパターン用のパターン番号表示領域３３３には、第３バッチパターンであることを示す「３」の文字を、後から３番目の第３バッチパターン用のパターン枚数表示領域３４３には、第３バッチパターンのバッチ枚数が０枚であることを示す「０」の文字を、それぞれ表示させている。また、後から４番目の第４バッチパターン用のパターン番号表示領域３３４には、第４バッチパターンであることを示す「４」の文字を、後から４番目の第４バッチパターン用のパターン枚数表示領域３４４には、第４バッチパターンのバッチ枚数が１１０枚であることを示す「１１０」の文字を、それぞれ表示させている。また、最も前の第５バッチパターン用のパターン番号表示領域３３５には、第５バッチパターンであることを示す「５」の文字を、最も前の第５バッチパターン用のパターン枚数表示領域３４５には、第５バッチパターンのバッチ枚数が１０００枚であることを示す「１０００」の文字を、それぞれ表示させている。
【００６５】
バッチ枚数設定画面３００において、パターン枚数表示領域３４１〜３４５のうち、現在設定対象として選択中のバッチパターンのパターン枚数表示領域については、例えば、背景を黒色、文字を白色とし、他の現在設定対象として選択中でないバッチパターンのパターン枚数表示領域については、背景を白色、文字を黒色とする。バッチ枚数設定モードへの遷移直後は、現在設定対象として選択中のバッチパターンが第１バッチパターンとなり、第１バッチパターンのパターン枚数表示領域３４１の背景を黒色、文字「１００」を白色とし、他の現在設定対象として選択中でない第２〜第５バッチパターンのパターン枚数表示領域３４２〜３４５の背景を白色、文字「１１０」，「０」，「１１０」，「１０００」を黒色として、第１バッチパターンが現在設定対象として選択中のバッチパターンであることを示している。また、パターン枚数表示領域３４１〜３４５の表示態様に合わせてパターン番号表示領域３３１〜３３５の表示態様を変化させてもよい。なお、表示態様は、選択中のバッチパターンが判別できればよく、文字の点滅表示や選択中のマークを付すようにしてもよい。
【００６６】
バッチ枚数設定モードに遷移直後、上記のように、現在設定対象として選択中のバッチパターンが第１バッチパターンとなり、ＣＰＵ１１７は、バッチ枚数設定画面３００について、全バッチパターン表示領域３３０の第１バッチパターンのパターン枚数表示領域３４１の背景を黒色、文字「０１００」を白色とし、他のバッチパターンのパターン枚数表示領域３４２〜３４５の背景を白色、文字を黒色とし、設定バッチ枚数表示領域３０３に第１バッチパターンのバッチ枚数である「０１００」の文字を表示させた状態となっている。その際に、現在設定対象として選択中の桁である千の位表示領域３１４の背景を黒色、文字「０」を白色とし、他の一の位表示領域３１１、十の位表示領域３１２および百の位表示領域３１３の背景を白色、文字を黒色としている。
【００６７】
この状態から、下移動キー１２５が一度押下操作されると、図９に示すように、設定対象として選択中のバッチパターンが第２バッチパターンとなり、ＣＰＵ１１７は、全バッチパターン表示領域３３０の第２バッチパターンのパターン枚数表示領域３４２の背景を黒色、文字「０１１０」を白色とし、他のバッチパターンのパターン枚数表示領域３４１，３４３〜３４５の背景を白色、文字を黒色とし、設定バッチ枚数表示領域３０３に第２バッチパターンのバッチ枚数である「０１１０」の文字を表示させた状態となる。その際にも、現在設定対象として選択中の桁である千の位表示領域３１３の背景を黒色、文字「０」を白色とし、他の一の位表示領域３１１、十の位表示領域３１２および百の位表示領域３１３の背景を白色、文字を黒色とする。
【００６８】
この状態から、さらに下移動キー１２５が一度押下操作されると、設定対象として選択中のバッチパターンが第３バッチパターンとなり、ＣＰＵ１１７は、全バッチパターン表示領域３３０の第３バッチパターンのパターン枚数表示領域３４３の背景を黒色、文字「０」を白色とし、他のバッチパターンのパターン枚数表示領域３４１，３４２，３４４，３４５の背景を白色、文字を黒色とし、設定バッチ枚数表示領域３０３に第３バッチパターンのバッチ枚数である「００００」の文字を表示させた状態となる。その際にも、現在設定対象として選択中の桁である千の位表示領域３１４の背景を黒色、文字「０」を白色とし、他の一の位表示領域３１１、十の位表示領域３１２および百の位表示領域３１３の背景を白色、文字を黒色とする。
【００６９】
この状態から、さらに下移動キー１２５が一度押下操作されると、設定対象として選択中のバッチパターンが第４バッチパターンとなり、ＣＰＵ１１７は、全バッチパターン表示領域３３０の第４バッチパターンのパターン枚数表示領域３４４の背景を黒色、文字「１１０」を白色とし、他のバッチパターンのパターン枚数表示領域３４１〜３４３，３４５の背景を白色、文字を黒色とし、設定バッチ枚数表示領域３０３に第４バッチパターンのバッチ枚数である「０１１０」の文字を表示させた状態となる。その際にも、現在設定対象として選択中の桁である千の位表示領域３１４の背景を黒色、文字「０」を白色とし、他の一の位表示領域３１１、十の位表示領域３１２および百の位表示領域３１３の背景を白色、文字を黒色とする。
【００７０】
この状態から、さらに下移動キー１２５が一度押下操作されると、設定対象として選択中のバッチパターンが第５バッチパターンとなり、ＣＰＵ１１７は、全バッチパターン表示領域３３０の第５バッチパターンのパターン枚数表示領域３４５の背景を黒色、文字「１０００」を白色とし、他のバッチパターンのパターン枚数表示領域３４１〜３４４の背景を白色、文字を黒色とし、設定バッチ枚数表示領域３０３に第５バッチパターンのバッチ枚数である「１０００」の文字を表示させた状態となる。その際にも、現在設定対象として選択中の桁である千の位表示領域３１４の背景を黒色、文字「１」を白色とし、他の一の位表示領域３１１、十の位表示領域３１２および百の位表示領域３１３の背景を白色、文字を黒色とする。
【００７１】
この状態から、下移動キー１２５が一度押下操作されると、設定対象として選択中のバッチパターンが第１バッチパターンになる。
【００７２】
以上のようにして、下移動キー１２５の押圧操作の回数に応じて、設定対象として選択中のバッチパターンが、第１バッチパターン、第２バッチパターン、第３バッチパターン、第４バッチパターン、第５バッチパターン、第１バッチパターンと、順次降順で切り替わる。また、現在設定対象として選択中のバッチパターンが第１バッチパターンである状態から、上移動キー１２６が押圧操作される度に、設定対象として選択中のバッチパターンが第５バッチパターン、第４バッチパターン、第３バッチパターン、第２バッチパターン、第１バッチパターンと、順次降順で切り替わる。勿論、下移動キー１２５の押圧操作と上移動キー１２６の押圧操作とを混合して行なって設定対象としてのバッチパターンを選択しても良い。言い換えれば、バッチ枚数設定モードでは、下移動キー１２５および上移動キー１２６で、第１〜第５バッチパターンの中から設定対象のバッチパターンを選択する。
【００７３】
そして、設定対象として選択中のバッチパターンについて、ファンクションキー１２１が押下操作される度に、設定対象として選択中の桁の数値が、０〜９の範囲で１ずつ昇順で切り替わり、ファンクションキー１２２が押下操作される度に、設定対象として選択中の桁の数値が０〜９の範囲で１ずつ降順で切り替わる。ファンクションキー１２３が押下操作される度に、設定対象として選択中の桁が１桁ずつ右にずれ、ファンクションキー１２４が押下操作される度に、設定対象として選択中の桁が１桁ずつ左にずれる。このようにして、下移動キー１２５、上移動キー１２６、ファンクションキー１２１〜１２４を適宜操作することで、所望のバッチパターンのバッチ枚数を設定する。言い換えれば、バッチ枚数設定モードでは、ファンクションキー１２１〜１２４で、選択中の桁の移動および選択中の桁の値を変更する。それに合わせて、第１〜第５バッチパターンのパターン枚数表示領域３４１〜３４５のうちの設定対象のバッチパターンのパターン枚数表示領域の表示も変更する。
【００７４】
例えば、バッチ枚数設定モードに遷移直後、上記のように、現在設定対象として選択中のバッチパターンが第１バッチパターンとなり、ＣＰＵ１１７は、バッチ枚数設定画面３００について、図８に示すように、全バッチパターン表示領域３３０の第１バッチパターンのパターン枚数表示領域３４１の背景を黒色、文字「０１００」を白色とし、他のバッチパターンのパターン枚数表示領域３４２〜３４５の背景を白色、文字を黒色とし、設定バッチ枚数表示領域３０３に第１バッチパターンのバッチ枚数である「０１００」の文字を表示させた状態となっている。その際に、現在設定対象として選択中の桁である千の位表示領域３１４の背景を黒色、文字「１」を白色とし、他の一の位表示領域３１１、十の位表示領域３１２および百の位表示領域３１３の背景を白色、文字を黒色としている。
【００７５】
この状態から、第２バッチパターンのバッチ枚数を１１０枚から１２０枚に変更設定する場合、下移動キー１２５が一回押圧操作されることで、図９に示すように、全バッチパターン表示領域３３０の第２バッチパターンのパターン枚数表示領域３４２の背景を黒色、文字「０１１０」を白色とし、他のバッチパターンのパターン枚数表示領域３４１，３４３〜３４５の背景を白色、文字を黒色とし、設定バッチ枚数表示領域３０３に第２バッチパターンのバッチ枚数である「０１１０」の文字を表示させた状態となる。
【００７６】
この状態で、ファンクションキー１２３が二回押圧操作されると、図１０に示すように、現在設定対象として選択中の桁が十の位となり十の位表示領域３１２の背景を黒色、文字「１」を白色とし、他の一の位表示領域３１１、百の位表示領域３１３および千の位表示領域３１４の背景を白色、文字を黒色とする。この状態で、ファンクションキー１２１が一度押下操作されると、図１１に示すように、十の位表示領域３１２の黒地に白色の文字「１」を黒地に白色のまま「２」とする。それに合わせて、設定対象の第２のバッチパターンのパターン枚数表示領域３４２の表示も、背景が黒色で白色の文字のまま、文字を「１１０」から「１２０」とする。このようにして、第２バッチパターンのバッチ枚数を１２０枚に設定する。
【００７７】
バッチ枚数設定モードでは、バッチキー１２９が押下操作されると、ＣＰＵ１１７が、第１〜第５バッチパターンのうち、このバッチ枚数設定モードで変更されたバッチパターンの設定されたバッチ枚数を記憶部１１８に記憶させて、バッチ計数モードの待機状態に戻り、表示部１１２にバッチ計数画面２００を表示させる。例えば、上記のように第２バッチパターンのバッチ枚数を１２０枚に設定して、バッチキー１２９が押下操作されると、ＣＰＵ１１７は、第２バッチパターンのバッチ枚数を１２０枚として記憶部１１８に記憶させる。第２バッチパターンが指定バッチパターンとして選択設定されたバッチ計数モードで、操作部１１１のスタート／クリアキー１２７に開始操作が入力されると、バッチ枚数を１２０枚としたバッチ計数処理を行う。
【００７８】
上記のようにバッチ枚数設定モードで、第１〜第５バッチパターンのいずれかのバッチ枚数を設定する際に、バッチ枚数設定画面３００の全バッチパターン表示領域３３０に、バッチパターン番号とバッチ枚数とを含むバッチパターンを全て表示させているため、ユーザは、どのバッチパターンに何枚のバッチ枚数を設定したかを覚えておく必要がなくなり、複数のバッチパターンに同じ枚数を設定するなどの設定ミスを防止できる。
【００７９】
ユーザが設定したバッチパターンのバッチ枚数を、紙葉類計数機１の電源ＯＦＦ後も記憶部１１８に保持し続けるか否かは、保守モード等により任意に設定可能となっている。具体的には、最後（電源ＯＦＦ直前）に設定したバッチ枚数を記憶部１１８に保持し続けるかどうかの設定であり、例えば、「電源ＯＦＦ後も保持する」の設定状態でユーザが任意の枚数にバッチ枚数を設定した後、「電源ＯＦＦ後保持しない」の設定状態に変更すると、以降は電源ＯＦＦしても、次の電源ＯＮには、「電源ＯＦＦ後も保持する」の設定状態でユーザが設定したバッチ枚数のままとなり、「電源ＯＦＦ後保持しない」の設定状態でユーザが設定した枚数では動作しない。
【００８０】
また、ユーザが最後にどのバッチパターンを指定バッチパターンとしたかを電源ＯＦＦ後も記憶部１１８に保持し続けるか否かも、保守モード等により任意に設定可能となっている。「使用中のバッチパターンを保持する」の設定状態で、電源ＯＦＦすると、次の電源ＯＮには、最後（電源ＯＦＦ直前）に使用したバッチパターンが指定バッチパターンとして選択され、「使用中のバッチパターンを保持しない」の設定状態の場合は、電源ＯＦＦすると、次の電源ＯＮには、例えば第１バッチパターンが指定バッチパターンとして設定される。
【００８１】
以上に述べた第１実施形態に係る紙葉類計数機１によれば、操作部１１１への操作入力に応じてバッチパターンのバッチ枚数を設定して記憶部１１８に記憶するバッチ枚数設定モードでは、複数のバッチパターンのバッチ枚数を表示部１１２に表示するため、どのバッチパターンに何枚のバッチ枚数を設定しているのかが一目瞭然で分かる。よって、所望のバッチ枚数の設定し忘れや、複数のプリセットデータの設定枚数が重複するなどの設定ミスを防止するために、どのバッチパターンに何枚のバッチ枚数を設定したかを覚えておいたり、書き留めておく必要がなくなることから、操作の煩雑さを低減できる。
【００８２】
また、指定バッチパターン選択モードにおいて、複数のバッチパターンの中から、選択されることがないバッチ枚数が０枚のバッチパターンを、指定バッチパターンとして選択可能なバッチパターンから除外する。よって、無駄な選択肢がなくなることから、操作の煩雑さを一層低減できる。
【００８３】
また、電源ＯＮ時および計数動作終了時に、蹴出ローラ１４はその下部の所定位置に高摩擦部３６を配置して停止するため、計数動作開始時の高摩擦部３６による紙幣Ｓの蹴り出し長さを確保できる。したがって、計数動作開始時に蹴り出し長さが不足することによる取込部１１の紙幣Ｓの取り込み不良を抑制することができる。
【００８４】
また、プリズム６２を用いて紙幣Ｓに対し一側に発光素子６５と受光素子６６とを一体に有する発光受光部６３を用いることができるため、発光素子と受光素子とが別体に設けられているものと比べて配線数を減らすことができる。
【００８５】
［第２実施形態］
本発明の第２実施形態に係る紙葉類計数機を主に図１２〜図１６を参照して第１実施形態との相違部分を中心に以下に説明する。第２実施形態では、記憶部１１８による記憶内容の一部およびＣＰＵ１１７による制御内容の一部が第１実施形態に対して主に相違している。
【００８６】
第２実施形態では、記憶部１１８は、複数のバッチパターンの組を複数組記憶可能であり、複数組の中から一組を選択組として選択可能であって、選択組の複数のバッチパターンの中から一つのバッチパターンを指定バッチパターンとして選択可能となっている。例えば、複数のバッチパターンの組は顧客毎に設定される。ここでは、Ａスーパー用の複数のバッチパターンの第１組と、Ｂスーパー用の複数のバッチパターンの第２組とを記憶部１１８に記憶しているものとする。
【００８７】
第２実施形態において、バッチ計数モードの待機状態にあるとき、表示部１１２に、図１２に示すように、第１実施形態と同様のバッチ計数画面２００に加えて、選択設定されている指定顧客名を表示させる顧客名表示領域３５１を表示させている。顧客名表示領域３５１は、題目表示領域２０１とバッチ計数モード表示領域２０２との間に配置されている。図１２では、選択設定されている指定顧客がＡスーパーであり、顧客名表示領域３５１には、「Ａスーパー」の文字が表示されている。指定顧客がＡスーパーである場合、複数のバッチパターンは、Ａスーパー用の第１組が指定組として選択設定されている。顧客名の登録は、例えば、保守モード等によりＡスーパー、Ｂスーパー、…のように任意に設定可能となっている。バッチ計数画面２００に、顧客名表示領域３５１を設けなくても良い。
【００８８】
この状態で、バッチキー１２９が長押しされると、バッチ枚数設定モードに遷移する。すると、ＣＰＵ１１７は、まず、表示部に図１３に示す第１設定選択画面４００を表示させる。第１設定選択画面４００には、第１実施形態と同様の題目表示領域３０１および操作可能表示領域３０２が後端にある。
【００８９】
また、第１設定選択画面４００には、第１選択肢表示領域４０１が題目表示領域３０１の直前位置にあり、第２選択肢表示領域４０２が第１選択肢表示領域４０１の直前位置にある。これらは、指定顧客を設定するのかバッチ枚数を設定するのかの選択肢を表示させる領域であり、第１選択肢表示領域４０１には「コキャク  セッテイ」の文字が、第２選択肢表示領域４０２には、「マイスウ  セッテイ」の文字が、それぞれ表示されている。
【００９０】
第１選択肢表示領域４０１の左側には、指定顧客を設定するという選択肢を選択した状態にあることを示す右向き矢印からなる選択マーク４０５を表示可能な第１選択マーク表示領域４０３が設けられており、第２選択肢表示領域４０２の左側にも、バッチ枚数を設定するという選択肢を選択した状態にあることを示す右向き矢印からなる選択マーク４０５を表示可能な第２選択マーク表示領域４０４が設けられている。選択マーク４０５は、第１選択マーク表示領域４０３および第２選択マーク表示領域４０４の一方のみが表示され、下移動キー１２５および上移動キー１２６のいずれか一方の一回の操作で表示位置が交互にかわる。
【００９１】
また、第１設定選択画面４００には、第１実施形態と同様の右から二番目のファンクションキー１２２と左右方向の位置を合わせた第２機能表示領域３２２に、ファンクションキー１２２の役割りである前画面へ戻る機能を示す「モドル」の文字が表示されている。第１実施形態と同様の左端のファンクションキー１２４と左右方向の位置を合わせた第４機能表示領域３２４に、ファンクションキー１２４の役割りである選択決定機能を示す「ケッテイ」の文字が表示されている。
【００９２】
第１設定選択画面４００において、必要により下移動キー１２５および上移動キー１２６が押下操作されることで、第１選択マーク表示領域４０３に選択マーク４０５が表示された状態で、ファンクションキー１２４が押下操作されると、ＣＰＵ１１７は、指定顧客の設定が選択されたものとし、表示部１１２に、図１４に示す第２設定選択画面５００を表示させる。第２設定選択画面５００にも、第１設定選択画面４００と同様の題目表示領域３０１および操作可能表示領域３０２が後端にある。
【００９３】
また、第２設定選択画面５００には、第３選択肢表示領域５０１が題目表示領域３０１の直前位置にあり、第４選択肢表示領域５０２が第３選択肢表示領域５０１の直前位置にある。これらは、いずれの顧客を指定顧客として設定するのかの選択肢を表示させる領域であり、第３選択肢表示領域５０１には、「Ａスーパー」の文字が、第４選択肢表示領域５０２には、「Ｂスーパー」の文字が、それぞれ表示されている。
【００９４】
第３選択肢表示領域５０１の左側には、Ａスーパーを指定顧客として設定するという選択肢を選択した状態にあることを示す右向き矢印からなる選択マーク５０５を表示可能な第３選択マーク表示領域５０３が設けられており、第４選択肢表示領域５０２の左側にも、Ｂスーパーを指定顧客として設定するという選択肢を選択した状態にあることを示す右向き矢印からなる選択マーク５０５を表示可能な第２選択マーク表示領域５０４が設けられている。選択マーク５０５は、第３選択マーク表示領域５０３および第４選択マーク表示領域５０４の一方のみが表示され、下移動キー１２５および上移動キー１２６のいずれか一方の一回の操作で表示位置が交互にかわる。
【００９５】
また、第２設定選択画面５００には、第１設定選択画面４００と同様、左端のファンクションキー１２４と左右方向の位置を合わせた第４機能表示領域３２４に、ファンクションキー１２４の役割りである選択決定機能を示す「ケッテイ」の文字が表示されている。
【００９６】
第２設定選択画面５００において、必要により下移動キー１２５および上移動キー１２６が押下操作されることで、第３選択マーク表示領域５０３のみに選択マーク５０５が表示された状態で、ファンクションキー１２４が押下操作されると、ＣＰＵ１１７は、Ａスーパーを指定顧客として設定し、第４選択マーク表示領域５０４のみに選択マーク５０５が表示された状態で、ファンクションキー１２４が押下操作されると、ＣＰＵ１１７は、Ｂスーパーを指定顧客として設定する。第２設定選択画面５００においてファンクションキー１２４が押下操作されると、ＣＰＵ１１７は、表示部１１２に、図１３に示す第１設定選択画面４００を表示させる。
【００９７】
第１設定選択画面４００において、必要により下移動キー１２５および上移動キー１２６が押下操作されることで、第２選択マーク表示領域４０４に選択マーク４０５が表示された状態で、ファンクションキー１２４が押下操作されると、現在設定されている指定顧客についてのバッチ枚数の設定が選択されたことになり、ＣＰＵ１１７は、表示部１１２に、図１５に示すバッチ枚数設定画面３００を表示させる。第２実施形態のバッチ枚数設定画面３００は、第１実施形態のバッチ枚数設定画面３００に、選択設定されている指定顧客名を表示させる顧客名表示領域６０１を加えて表示させている。顧客名表示領域６０１は、題目表示領域３０１と設定バッチ枚数表示領域３０３との間に配置されている。この顧客名表示領域６０１は設けなくても良い。
【００９８】
図１５に示すバッチ枚数設定画面３００では、選択設定されている指定顧客がＡスーパーであり、顧客名表示領域６０１には、「Ａスーパー」の文字が表示されている。指定顧客がＡスーパーである場合、複数のバッチパターンは、Ａスーパー用の第１組が指定組として選択設定されており、第１組のバッチパターンのバッチ枚数を第１実施形態と同様に設定する。その際に、全バッチパターン表示領域３３０には、第１組の全バッチパターンを同時に並べて表示させる。
【００９９】
例えば、第１組について、第１バッチパターンのバッチ枚数が１００枚、第２バッチパターンのバッチ枚数が１１０枚、第３バッチパターンのバッチ枚数が０枚、第４バッチパターンのバッチ枚数が１１０枚、第５バッチパターンのバッチ枚数が１０００枚にそれぞれ設定されて記憶部１１８に記憶されている場合、第１バッチパターン用のパターン番号表示領域３３１には「１」の文字を、第１バッチパターン用のパターン枚数表示領域３４１には「１００」の文字を、それぞれ表示させる。第２バッチパターン用のパターン番号表示領域３３２には「２」の文字を、第２バッチパターン用のパターン枚数表示領域３４２には「１１０」の文字を、それぞれ表示させる。また、第３バッチパターン用のパターン番号表示領域３３３には「３」の文字を、第３バッチパターン用のパターン枚数表示領域３４３には「０」の文字を、それぞれ表示させる。また、第４バッチパターン用のパターン番号表示領域３３４には「４」の文字を、第４バッチパターン用のパターン枚数表示領域３４４には「１１０」の文字を、それぞれ表示させる。また、第５バッチパターン用のパターン番号表示領域３３５には「５」の文字を、第５バッチパターン用のパターン枚数表示領域３４５には「１０００」の文字を、それぞれ表示させる。
【０１００】
図１６に示すバッチ枚数設定画面３００は、選択設定されている指定顧客がＢスーパーである場合を示している。顧客名表示領域６０１には、「Ｂスーパー」の文字が表示されている。指定顧客がＢスーパーである場合、複数のバッチパターンは、Ｂスーパー用の第２組が指定組として選択設定されており、第２組のバッチパターンのバッチ枚数を第１実施形態と同様に設定する。その際に、全バッチパターン表示領域３３０には、第２組の全バッチパターンを同時に並べて表示させる。
【０１０１】
例えば、第２組について、第１バッチパターンのバッチ枚数が３００枚、第２バッチパターンのバッチ枚数が５０枚、第３バッチパターンのバッチ枚数が１００枚、第４バッチパターンのバッチ枚数が２０００枚、第５バッチパターンのバッチ枚数が１５００枚にそれぞれ設定されて記憶部１１８に記憶されている場合、図１６に示すバッチ枚数設定画面３００に示すように、第１バッチパターン用のパターン番号表示領域３３１には「１」の文字を、第１バッチパターン用のパターン枚数表示領域３４１には「３００」の文字を、それぞれ表示させる。第２バッチパターン用のパターン番号表示領域３３２には「２」の文字を、第２バッチパターン用のパターン枚数表示領域３４２には「５０」の文字を、それぞれ表示させる。また、第３バッチパターン用のパターン番号表示領域３３３には「３」の文字を、第３バッチパターン用のパターン枚数表示領域３４３には「１００」の文字を、それぞれ表示させる。また、第４バッチパターン用のパターン番号表示領域３３４には「４」の文字を、第４バッチパターン用のパターン枚数表示領域３４４には「２０００」の文字を、それぞれ表示させる。また、第５バッチパターン用のパターン番号表示領域３３５には「５」の文字を、第５バッチパターン用のパターン枚数表示領域３４５には「１５００」の文字を、それぞれ表示させる。
【０１０２】
以上に述べた第２実施形態に係る紙葉類計数機１によれば、記憶部１１８が、複数のバッチパターンの組を複数組記憶可能であり、これら複数組の中から一組を選択組として選択し、選択組の複数のバッチパターンの中から一つのバッチパターンを指定バッチパターンとして選択して、バッチ処理を実行する。よって、例えば、顧客毎に組を変えることで、顧客毎に使用する複数のバッチパターンが設定できるようになり、運用上の利便性が向上できる。例えば、警備会社等で複数のスーパーのレジの紙幣釣銭準備金を作成する際に、スーパー毎にバッチ枚数設定を記憶すれば運用し易くなり、設定枚数の誤りを防止することができる。
【０１０３】
なお、第１，第２実施形態を以下のように変更することも可能である。
【０１０４】
バッチ枚数が１００枚などの多用されるバッチパターンは変更不可に設定できるようにする。その場合、バッチ枚数設定画面３００の全バッチパターン表示領域３３０の対応するパターン番号表示領域のバッチパターン番号の隣り、または、対応するパターン枚数表示領域のバッチ枚数の隣りに、＊（アスタリスクマーク）をつけるなどして変更不可であることを表示する。例えば、第１バッチパターンのバッチ枚数を１００枚で変更不可とし、第２バッチパターンのバッチ枚数を１０枚で変更不可とし、第３〜第５のバッチパターンを任意に枚数設定可能とする、といったような使い方が可能になる。第２実施形態について、所定の顧客設定について変更不可に設定できるようにしてもよい。
【０１０５】
枚数設定されているバッチパターンを１回計数するごとに、第１バッチパターンの次は第２バッチパターン、第２バッチパターンの次は第３バッチパターン、第３バッチパターンの次は第４バッチパターン、第４バッチパターンの次は第５バッチパターン、第５バッチパターンの次は第１バッチパターンというように、第１〜第５のバッチパターンを昇順で自動的に切り替える。これにより、決まった順序で複数の枚数の紙幣セットを作成する際に切り替え操作が不要になる。複数券種のセットを作成する場合に好適であり、例えば、五千円券用の第１バッチパターンと、二千円券用の第２バッチパターンと、千円券用の第３バッチパターンとを、設定しておき、ユーザが順番に金種を替えて計数することで決まった額のつり銭準備金を安価な紙葉類計数機（金種識別機能なし）で容易に作成（再勘）することができる。また、切り替えタイミングを任意の回数（例えば、第１バッチパターンで５回計数したら第２バッチパターンに切り替える等）に設定できるようにしてもよい。
【０１０６】
金種識別可能な紙葉類計数機の場合は、金種別にバッチパターンの枚数設定ができるようにする。例えば、一万円券用の第１バッチパターン、五千円券用の第２バッチパターン、千円券用の第３バッチパターン、二千円券用の第４バッチパターン、その他用の第５バッチパターンを枚数設定可能にし、識別された金種でバッチ取り枚数が自動的に切り替わるようにする。
【符号の説明】
【０１０７】
１  紙葉類計数機
２  セット部
１１  取込部
４１  搬送部
７１  カウントセンサ（計数部）
８１  集積部
１１１  操作部
１１２  表示部
１１７  制御部
１１８  記憶部
Ｓ  紙幣（紙葉類）
【図１】
2018045342.tif 000003
【図２】
2018045342.tif 000004
【図３】
2018045342.tif 000005
【図４】
2018045342.tif 000006
【図５】
2018045342.tif 000007
【図６】
2018045342.tif 000008
【図７】
2018045342.tif 000009
【図８】
2018045342.tif 000010
【図９】
2018045342.tif 000011
【図１０】
2018045342.tif 000012
【図１１】
2018045342.tif 000013
【図１２】
2018045342.tif 000014
【図１３】
2018045342.tif 000015
【図１４】
2018045342.tif 000016
【図１５】
2018045342.tif 000017
【図１６】
2018045342.tif 000018